(57)【要約】【課題】肘又は膝の曲げ伸ばしを楽にする伸縮部を設け、しかも洗濯などの使用に耐える衣服を提供する。【解決手段】  上着１の後袖４の肘部４ｂの上方及び下方又はズボン８の前身頃９の膝部９ｂの上方及び下方に、肘又は膝の関節の可動部よりも離れた位置に腕又は足の長さ方向に伸縮する伸縮部６、７、１１、１２が設けられる。伸縮部６、７、１１、１２はポリエステルを含む織物で、プリーツの折り幅を２〜５ｍｍとしたプリーツ加工された生地からなる。【選択図】  図１
0003219724.tif 000002
【実用新案登録請求の範囲】
【請求項１】
肢を包む前後の布うち、関節の曲がりの外側の布が胴体側部と関節部と肢端側部とを含み、前記胴体側部と関節部との間と前記関節部と肢端側部との間であって、前記関節の可動部よりも離れた位置に肢の長さ方向に伸縮する伸縮部を有し、前記伸縮部はポリエステルを含む織物でプリーツの折り幅を２〜５ｍｍとしたプリーツ加工の生地からなることを特徴とする衣服。
【請求項２】
請求項１の衣服において、
胴体側部と肢端側部は、肢の周囲方向に伸縮するワンウェイストレッチ素材で形成され、
前記関節部は、肢の長さ方向に伸縮するワンウェイストレッチ素材で形成されていることを特徴とする衣服。
【請求項３】
請求項２の衣服において、
前記衣服が上着であるときは、前記関節の曲がりの外側の布は後袖であり、
前記衣服がズボンであるときは、前記関節の曲がりの外側の布は前見頃であることを特徴とする衣服。
【考案の詳細な説明】
【技術分野】
【０００１】
本考案は、肘や膝の曲げ伸ばしの動作を楽にする伸縮部を設けた衣服に関するものである。
【背景技術】
【０００２】
膝の曲げ伸ばしを楽にするため膝部に相当する部分の表側は複数のひだ状の布地を設けた伸縮部を有するズボンが考えられている（特許文献１参照）。また、伸縮部の見栄えをよくするため、伸縮部を肘又は膝が当たる部分より下方に設けたものも考えられている（特許文献２、特許文献３参照）。
【先行技術文献】
【特許文献】
【０００３】
【特許文献１】実用新案登録第３０５６４９６号公報
【特許文献２】実用新案登録第３０７１６７９号公報
【特許文献３】実用新案登録第３０７１６８０号公報
【考案の概要】
【考案が解決しようとする課題】
【０００４】
特許文献１〜３の技術においては、開いたひだを元に戻すために伸縮性の当て布を裏側に設けている。当て布はゴム織布又はポリウレタン弾性繊維による布であり、紫外線、漂白、皮脂等に弱く、洗濯などの使用により伸びきってしまうという問題がある。また、伸縮部を肘又は膝が当たる部分より下方に設けたものでは、肘又は膝が当たる部分より上方が突っ張るという問題がある。
そこで、本考案は、肘又は膝の曲げ伸ばしを楽にし、洗濯などの使用に耐える衣服を提供することを目的とする。
【課題を解決するための手段】
【０００５】
上記目的を達成するために、本考案の衣服は、肢を包む前後の布うち、関節の曲がりの外側の布が胴体側部と関節部と肢端側部とを含み、前記胴体側部と関節部との間と前記関節部と肢端側部との間であって、前記関節の可動部よりも離れた位置に肢の長さ方向に伸縮する伸縮部を有し、前記伸縮部はポリエステルを含む織物でプリーツの折り幅を２〜５ｍｍとしたプリーツ加工の生地からなる。
【考案の効果】
【０００６】
この考案によれば、伸縮部の生地をプリーツがつきやすいポリエステルを使用し、プリーツの幅を細かく形成しているため、裏側に伸縮性の当て布を用いなくとも、自然に元に戻ることができる。伸縮性の当て布を必要としないため、洗濯により当て布が伸びきるという問題がない。また、肘部又は膝部の上方及び下方に伸縮部を設けているため、上方及び下方において突っ張らずスムーズに曲げ伸ばしでき、またプリーツが関節により圧迫されずに形状を長く損なうことはない。
【図面の簡単な説明】
【０００７】
【図１】本考案に係る衣服の正面図であり、図１Ａは上着を示した図、図１Ｂはズボンを示した図である。
【図２】本考案に係る衣服の背面図であり、図２Ａは上着を示した図、図２Ｂはズボンを示した図である。
【図３】プリーツ部分を拡大した断面図である。
【考案を実施するための形態】
【０００８】
本考案は、人間の肘と膝（腕、足）における関節（以下、肢の関節と称する）の曲がりに追従して、着用時の突っ張り感を減少させる衣服である。衣服においては肢を包むために腕では前袖と後袖、足では前見頃と後見頃で代表されるような前後の布で筒を形成することが一般的である。
【０００９】
肢の関節（肘、膝）が内側に曲がるとき、突っ張り感は曲げの外側の布で発生する。腕においては、後袖であり、足においては前見頃である。本考案では、関節の曲げの外側になる布を胴体側部、関節部、肢端側部により構成し、胴体側部と関節部との間及び関節部と肢端側部との間にプリーツ生地からなる伸縮部を設けている。以下の説明において、胴体側部は、腕においては上腕部であり、足においては腿部に相当する。肢端側部は、腕においては前腕部であり、足においては脛部に相当する。関節部は、腕においては肘部であり、足においては膝部に相当する。
【００１０】
以下、本考案に係る衣服の一実施の形態について、図１〜図３に基づいて説明する。
図１は本考案に係る衣服の正面図であり、図１Ａは上着を示した図、図１Ｂはズボンを示した図である。図２は本考案に係る衣服の背面図であり、図２Ａは上着を示した図、図２Ｂはズボンを示した図である。図３は伸縮部を拡大した断面図である。
【００１１】
図１、図２において、本考案に係る衣服の上着１の袖２は前側の前袖３及び後側の後袖４からなり、後袖４は、上腕部４ａ、肘部４ｂ、前腕部４ｃに分かれている。肘部４ｂは、男性用Ｌサイズの上着において肘を中程にして前後の長さＢ１は１６ｃｍ程度である。肘部４ｂと上腕部４ａとの間、肘部４ｂと前腕部４ｃとの間に夫々の伸縮部６、７が設けられている。
【００１２】
伸縮部６、７の長さＬ１は１〜３ｃｍで、腕（肢）の長さ方向に伸縮するプリーツ生地で形成されている。伸縮部６、７は、袖の長さ方向に伸縮するように配置されている。図３にプリーツ生地を拡大した断面を示している。プリーツ生地は、縦糸がポリエステルの糸、横糸がポリエステルと綿の混合の糸を使用した織物生地を、折幅Ｌ２が２〜５ｍｍの細いプリーツからなるプリーツ加工を施し、一方向に伸縮可能にしたものである。ポリエステルなどの化学繊維は熱可塑性があるので、高温で柔らかくなったところをその長さ方向を分断するように折り目を付けてくせ付けすることにより、形状が半永久的に維持される。
【００１３】
伸縮部６、７の生地は、プリーツがつきやすいポリエステルを使用しており、プリーツの幅を細かく形成しているため、裏側に伸縮性の当て布を用いなくとも、自然に元に戻ることができる。
【００１４】
肘部４ｂの長さＢ１が長く、伸縮部６、７の位置は着用者の肘関節の可動部から離れた位置に設置される。このため、伸縮部６、７は、着用者の肘関節の動きによる圧迫を受けない。また、着用者がテーブルなどに肘をつくことにより、肘とテーブルとの間に挟まれて伸縮部６、７が圧迫されることもない。このため、プリーツの形状を損なうことが抑制される。
【００１５】
前袖３及び後袖４ともに、縦又は横の一方向に伸縮するワンウェイストレッチ素材（ＯＮＥ  ＷＡＹストレッチ素材）で形成されている。前袖３は、腕の周囲の方向に伸縮するようにワンウェイ素材が配置されている。後袖４は、上腕部４ａ、前腕部４ｃは腕の周囲の方向に伸縮するようにワンウェイストレッチ素材が配置され、肘部４ｂにおいては腕（肢）の長さ方向に伸縮するようにワンウェイストレッチ素材を配置する。このように配置することにより、肘を曲げたときのつっぱり感が大きく改善される。尚、前袖３と同様に、腕の周囲の方向に伸縮するように肘部４ｂに対してワンウェイストレッチ素材を配置しても良い。又、肘部４ｂには、肘の膨らみに沿うように若干のダーツ１３が設けられており、肘の収まり具合が良くなっている。尚、ダーツ１３は無くても良い。
【００１６】
本考案に係る衣服のズボン８は前身頃９と後身頃１０からなり、前身頃９は、腿部９ａ、膝部９ｂ、脛部９ｃに分かれている。膝部９ｂは、男性用Ｌサイズのズボンにおいて膝を中程にして前後の長さＢ２は１５ｃｍ程度である。膝部９ｂと腿部９ａとの間、膝部９ｂと脛部９ｃとの間に夫々の伸縮部１１、１２が設けられている。伸縮部１１、１２の長さＬ２は１〜３ｃｍで、図３のプリーツ生地をズボン８（肢）の長さ方向に伸縮するように配置されている。
【００１７】
膝部９ｂの長さＢ２は１５ｃｍ程度と長く、伸縮部１１、１２の位置は着用者の膝関節の可動部から離れた位置に設置される。このため、着用者の膝関節の動きによる圧迫を受けない。また、着用者が床に膝をつくことにより、膝と床との間に挟まれて伸縮部１１、１２が圧迫されることもない。このため、プリーツの形状を損なうことが抑制される。
【００１８】
前身頃９と後身頃１０ともに、縦又は横の一方向に伸縮するワンウェイストレッチ素材で形成されている。後身頃１０は、足の周囲の方向に伸縮するようにワンウェイ素材が配置されている。前身頃９は、腿部９ａ、脛部９ｃは足の周囲の方向に伸縮するようにワンウェイストレッチ素材が配置され、膝部９ｂにおいてはズボン８（肢）の長さ方向に伸縮するようにワンウェイストレッチ素材を配置する。このように配置することにより、足を曲げたときのつっぱり感が大きく改善される。尚、後身頃１０と同様に、足の周囲の方向に伸縮するように膝部９ｂに対してワンウェイストレッチ素材が配置しても良い。又、膝部９ｂには、膝の膨らみに沿うように若干のダーツ１４が設けられている。尚、ダーツ１４は無くても良い。
【００１９】
また、上腕部４ａ、肘部４ｂ、前腕部４ｃ若しくは腿部９ａ、膝部９ｂ、脛部９ｃが単一の布である必要はなく、幾つかの布で構成されていても良い。
【符号の説明】
【００２０】
１     上着
２     袖
３     前袖
４     後袖
４ａ     上腕部
４ｂ     肘部
４ｃ     前腕部
６、７、１１、１２     伸縮部
８     ズボン
９     前身頃
９ａ     腿部
９ｂ     膝部
９ｃ     脛部
１０     後身頃
１３、１４     ダーツ
【図１】
0003219724.tif 000003
【図２】
0003219724.tif 000004
【図３】
0003219724.tif 000005